(57)【要約】【課題】従来の車両用ルームランプでは、光源の光が透孔の開口部から漏れ、プッシュスイッチがランプハウジングから脱落する場合がある。【解決手段】プッシュスイッチ９の操作部１１が外側から灯室４内に挿入されるための透孔１３をランプハウジング２に設け、プッシュスイッチ９の本体部１２が所定の位置にスライドされてセットされるためのガイド１５を透孔１３の縁に設け、プッシュスイッチ９の本体部１２が所定の位置にセットされた後に透孔１３に残る開口部１４を閉じかつ本体部１２がバックスライドすることを防ぐためにカバー部材１６をランプハウジング２に固定する。この結果、光源８の光が透孔１３の開口部１４から漏れるのを防止することができ、プッシュスイッチ９がランプハウジング２から脱落するのを防止することができる。【選択図】        図４
2007165180.tif 000002
【特許請求の範囲】
【請求項１】
ランプレンズを介してプッシュスイッチを押し操作することにより光源が点灯消灯する車両用ルームランプにおいて、
灯室を区画するランプハウジングおよび前記ランプレンズと、前記灯室内に配置されている前記光源と、前記ランプハウジングに設けられている前記プッシュスイッチと、カバー部材と、を備え、
前記プッシュスイッチは、前記ランプレンズを介する押し操作により作動する操作部と、前記ランプハウジングの所定の位置にセットされて前記光源および電源と電気的に接続されている本体部と、から構成されており、
前記ランプハウジングには、前記操作部が外側から前記灯室内に挿入されるための透孔が設けられており、前記透孔の縁には、前記本体部が前記所定の位置にスライドされてセットされるためのガイドが設けられており、
前記カバー部材は、前記本体部が前記所定の位置にセットされた後に前記透孔に残る開口部を閉じかつ前記本体部がバックスライドすることを防ぐために前記ランプハウジングに固定されている、
ことを特徴とする車両用ルームランプ。
【請求項２】
前記カバー部材は、前記ランプハウジングに開閉可能にかつ一体に設けられている、ことを特徴とする請求項１に記載の車両用ルームランプ。
【請求項３】
前記ランプハウジングには、前記透孔に残る開口部を閉じる前記カバー部を固定するための固定部が一体に設けられている、ことを特徴とする請求項１または２に記載の車両用ルームランプ。
【発明の詳細な説明】
【技術分野】
【０００１】
この発明は、ランプレンズを介してプッシュスイッチを押し操作することにより光源が点灯消灯する車両用ルームランプに関するものである。
【背景技術】
【０００２】
この種の車両用ルームランプは、従来からある（たとえば、特許文献１、特許文献２）。以下、従来の車両用ルームランプについて説明する。従来の車両用ルームランプは、灯室を区画するランプハウジングおよびランプレンズと、前記灯室内に配置されている光源と、前記ランプハウジングに設けられているプッシュスイッチと、を備え、前記プッシュスイッチが、前記ランプレンズを介する押し操作により作動する操作部と、前記ランプハウジングの所定の位置にセットされて前記光源および電源と電気的に接続されている本体部と、から構成されているものである。以下、従来の車両用ルームランプの作用について説明する。ランプレンズを介してプッシュスイッチの操作部を一度押し操作すると光源が点灯し、また、ランプレンズを介してプッシュスイッチの操作部を再度押し操作すると光源が消灯するものである。
【０００３】
ところが、従来の車両用ルームランプは、プッシュスイッチをランプハウジングにただ単に設けるものである。このために、従来の車両用ルームランプにおいて、プッシュスイッチの操作部を外側から灯室内に挿入するための透孔をランプハウジングに設け、かつ、プッシュスイッチの本体部を透孔の中でランプハウジングの所定の位置までスライドさせてセットさせた場合には、透孔に開口部が残る。すなわち、透孔は、本体部を操作部の挿入位置から所定位置までスライドさせるための大きさを有するので、本体部よりもスライド分大きい。このために、本体部を操作部の挿入位置から所定位置までスライドさせた後に、透孔には開口部が残る。透孔に開口部が残ると、光源の点灯時において、光源からの光が透孔の開口部から外側に漏れる。また、透孔に開口部が残ると、ランプレンズを介して操作部を繰り返して押し操作することにより、本体部がバックスライドしてランプハウジングから脱落する場合がある。
【０００４】
【特許文献１】特開２００２−１７２９７７号公報
【特許文献２】特開２００２−３１６５７９号公報
【発明の開示】
【発明が解決しようとする課題】
【０００５】
この発明が解決しようとする問題点は、プッシュスイッチの本体部をランプハウジングの透孔の中で所定の位置にスライドさせてセットさせる車両用ルームランプにおいて、従来の車両用ルームランプでは、光源の光が透孔の開口部から漏れ、また、プッシュスイッチがランプハウジングから脱落する場合があるという点にある。
【課題を解決するための手段】
【０００６】
この発明（請求項１に記載の発明）は、プッシュスイッチの操作部が外側から灯室内に挿入されるための透孔をランプハウジングに設け、プッシュスイッチの本体部が所定の位置にスライドされてセットされるためのガイドを透孔の縁に設け、プッシュスイッチの本体部が所定の位置にセットされた後に透孔に残る開口部を閉じかつ本体部がバックスライドすることを防ぐためにカバー部材をランプハウジングに固定する、ことを特徴とする。
【０００７】
また、この発明（請求項２に記載の発明）は、カバー部材がランプハウジングに開閉可能にかつ一体に設けられている、ことを特徴とする。
【０００８】
さらに、この発明（請求項３に記載の発明）は、透孔に残る開口部を閉じるカバー部を固定するための固定部がランプハウジングに一体に設けられている、ことを特徴とする。
【発明の効果】
【０００９】
この発明（請求項１に記載の発明）の車両用ルームランプは、プッシュスイッチの本体部がランプハウジングの所定の位置にセットされた後に透孔に残る開口部を閉じかつ本体部がバックスライドすることを防ぐために、カバー部材をランプハウジングに固定するものである。このために、この発明（請求項１に記載の発明）の車両用ルームランプは、カバー部材により透孔の開口部を閉じるので、光源の点灯時において、光源からの光が透孔の開口部から外側に漏れるのを防ぐことができ、かつ、光源からの光を有効に利用することができる。しかも、この発明（請求項１に記載の発明）の車両用ルームランプは、カバー部材に反射面を設けることにより、光源からの光をさらに有効に利用することができる。その上、この発明（請求項１に記載の発明）の車両用ルームランプは、カバー部材によりプッシュスイッチの本体部がバックスライドすることが防止されるので、ランプレンズを介して操作部を繰り返して押し操作することによって、本体部がバックスライドしてランプハウジングから脱落することを防ぐことができる。
【００１０】
また、この発明（請求項２に記載の発明）の車両用ルームランプは、カバー部材がランプハウジングに開閉可能に設けられているので、カバー部材が開いている状態で、プッシュスイッチの本体部をランプハウジングの所定の位置にセットすることができ、かつ、カバー部材を閉じることにより、透孔に残る開口部を閉じることができる。しかも、この発明（請求項２に記載の発明）の車両用ルームランプは、カバー部材がランプハウジングに一体に設けられているので、部品点数を軽減することができ、その分、製造コストを安価にすることができ、また、カバー部材の紛失防止となり、部品管理の効率化が図られる。
【００１１】
さらに、この発明（請求項３に記載の発明）の車両用ルームランプは、透孔に残る開口部を閉じるカバー部をランプハウジングに設けられている固定部で固定するので、カバー部の固定作業が簡単である。しかも、この発明（請求項３に記載の発明）の車両用ルームランプは、固定部がランプハウジングに一体に設けられているので、部品点数を軽減することができ、その分、製造コストを安価にすることができる。
【発明を実施するための最良の形態】
【００１２】
以下、この発明にかかる車両用ルームランプの実施例を図面に基づいて詳細に説明する。なお、この実施例によりこの発明が限定されるものではない。
【実施例】
【００１３】
以下、この実施例における車両用ルームランプの構成について説明する。この実施例における車両用ルームランプ１は、図５〜図９に示すように、ランプハウジング２と、ランプレンズ３と、を備える。前記ランプハウジング２と前記ランプレンズ３とにより、灯室４が区画されている。
【００１４】
前記ランプハウジング２は、一方が開口しかつ他方が閉塞した断面凹形状をなす。一方、前記ランプレンズ３は、逆に、一方が閉塞しかつ他方が開口した底が前記ランプハウジングよりも浅い断面凹形状をなす。前記ランプハウジング２の開口部に前記ランプレンズ３が回転可能かつ着脱可能に設けられている。すなわち、前記ランプハウジング２には、軸部５が一体に設けられており、一方、前記ランプレンズ３には、軸受部６が一体に設けられている。前記軸部５と前記軸受部６とを回転可能に軸受けすることにより、前記ランプレンズ３は、前記ランプハウジング２に回転可能にかつ着脱可能に取り付けられることとなる。
【００１５】
前記ランプレンズ３の前記軸受部６と反対側の箇所７が押し操作の箇所となる。前記押し操作箇所７には、半球形状の凸部２０が一体に設けられている。また、前記ランプハウジング２の開口部の縁のうち前記軸部５と反対側の縁には、ガイド溝２２が設けられている。一方、前記ランプレンズ３の縁のうち前記軸受部６と反対側の縁には、ガイド凸部２１が一体に設けられている。前記ガイド凸部２１が前記ガイド溝２２に係合されており、この結果、押し操作によって、前記ランプレンズ３が前記ランプハウジング２に対してスムーズに回転する。なお、この例では、前記ランプハウジング２に前記軸部５を、前記ランプレンズ３に前記軸受部６を一体に設けるものであるが、その逆に前記ランプハウジング２に軸受部を、前記ランプレンズ３に軸部を設けるものであっても良い。また、前記ランプハウジング２に前記ガイド溝２２を設け、前記ランプレンズ３に前記ガイド凸部２１を一体に設けるものであるが、その逆に前記ランプハウジング２にガイド凸部を一体に設け、前記ランプレンズ３にガイド溝を設けるものであっても良い。
【００１６】
前記灯室４内には、光源８およびプッシュスイッチ９が配置されている。前記光源８は、ＬＥＤなどの半導体型光源、白熱バルブ、ハロゲンバルブなどの光源であって、前記ランプハウジング２にランプホルダ１０を介して着脱可能に取り付けられている。前記プッシュスイッチ９は、操作部１１と本体部１２とから構成されている。前記操作部１１は、前記ランプレンズ３の押し操作箇所７と対向し、前記ランプレンズ３を介する押し操作により作動するものである。前記本体部１２は、前記ランプハウジング２の所定の位置、この例では、前記軸部５が設けられている位置と反対側の位置にセットされ、前記光源８および電源（図示せず）と電気的に接続されている。
【００１７】
前記ランプハウジング２の底には、透孔１３が設けられている。前記透孔１３は、図１〜図４に示すように、前記プッシュスイッチ９の操作部１１を外側から前記灯室４内に挿入するためと、前記プッシュスイッチ９の本体部１２を前記操作部１１の挿入位置からスライドさせて前記ランプハウジング２の所定の位置にセットするためのものである。このために、前記透孔１３は、前記本体部１２を前記操作部１１の挿入位置から所定位置までスライドさせるための大きさを有するので、前記本体部１２よりもスライド分大きい。このために、前記本体部１２を前記操作部１１の挿入位置から所定位置までスライドさせた後に、前記透孔１３のうち前記操作部１１の挿入部分には開口部１４が残る。前記ランプハウジング２の透孔１３の縁には、前記本体部１２を前記操作部１１の挿入位置から所定位置までスライドさせるためのガイド１５が一体に設けられている。
【００１８】
前記ランプハウジング２には、カバー部材１６がヒンジ部１７を介して開閉可能に一体に設けられている。前記カバー部材１６は、前記透孔１３の縁であって、前記操作部１１の挿入位置に対応しかつ前記開口部１４が残る位置に対応する位置に設けられている。また、前記ランプハウジング２には、前記透孔１３に残る前記開口部１４を閉じる前記カバー部材１６を固定するための固定部１８が一体に設けられている。前記固定部１８は、この例では、前記カバー部材１６の端に係合するランス形状の係合爪をなす。前記固定部１８は、前記透孔１３の縁のうち前記カバー部材１６が前記ヒンジ部１７を介して設けられている縁と対向する縁に設けられている。
【００１９】
前記ランプハウジング２には、導電性のバスバー（図示せず）がモールド成形により一体に設けられている。前記バスバーには、端子１９が設けられている。前記端子１９は、前記透孔１３の縁のうち前記本体部１２がセットされる位置の縁から前記透孔１３側に突出している。前記端子１９は、前記本体１２に差し込まれることにより、前記光源８と前記本体部１２とが電気的に接続される。
【００２０】
以下、前記プッシュスイッチ９の前記ランプハウジング２への取り付け方について説明する。
【００２１】
まず、図１中の実線矢印に示すように、前記プッシュスイッチ９の操作部１１を前記ランプハウジング２の透孔１３を通して外部から前記灯室４内に挿入する。つぎに、図２中の実線矢印に示すように、前記プッシュスイッチ９の本体部１２を前記ランプハウジング２のガイド１５に沿って前記操作部１１の挿入位置から前記ランプハウジング２の所定位置までスライドさせる。このとき、前記ランプハウジング２の端子１９が前記プッシュスイッチ９の本体部１２に差し込まれて、前記光源８と前記本体部１２とが電気的に接続される。また、前記プッシュスイッチ９の本体部１２は、前記ランプハウジング２の所定位置にセットされる。さらに、前記ランプレンズ３の押し操作箇所７の凸部が前記プッシュスイッチ９の操作部１１の先端面に当接する。
【００２２】
それから、図３中の実線矢印に示すように、前記カバー部材１６をヒンジ部１７において閉じる。そして、閉じた前記カバー部材１６の端部（前記ヒンジ部１７と反対側の端部）を前記ランプハウジング２の固定部１８に固定させる。すると、図４に示すように、前記プッシュスイッチ９の本体部１２を前記透孔１３の操作部１１の挿入位置から前記ランプハウジング２の所定位置までスライドさせた後に前記透孔１３に残る開口部１４が前記カバー部材１６により閉じられる。
【００２３】
この実施例にかかる車両用ルームランプ１は、以上のごとき構成からなり、以下、その作用効果について説明する。
【００２４】
まず、図９中の実線矢印に示すように、ランプレンズ３の押し操作箇所７を押す。すると、ランプレンズ３が軸部５および軸受部６を中心として回転する。このランプレンズ３が回転することにより、ランプレンズ３の押し操作箇所７の凸部２０がプッシュスイッチ９の操作部１１を押す。この操作部１１の一度の押し操作により光源８が点灯する。
【００２５】
光源８からの光は、ランプレンズ３を透過して車両の室内（図示せず）を照明する。このとき、ランプレンズ２の透孔１３にプッシュスイッチ９のスライドにより残る開口部１４がカバー部材１６で閉じられているので、灯室４内の光源８からの光が開口部１４から外部に漏れるのをカバー部材１６で防ぐことができ、かつ、光源８からの光を有効に利用することができる。
【００２６】
ここで、カバー部材１６に反射面（図示せず）を設ければ、光源８からの光をカバー部材１６の反射面でランプレンズ３側に反射させることにより、光源８からの光をさらに有効に利用することができる。
【００２７】
押し操作箇所７の押し操作を解除すると、プッシュスイッチ９の操作部１１が戻しスプリングなど（図示せず）の作用で図９に示す状態から図７および図８に示す元の状態に戻る。このとき、ランプレンズ３も元の状態に戻る。
【００２８】
そして、ランプレンズ３の押し操作箇所７を再度押すと、ランプレンズ３が回転してランプレンズ３の押し操作箇所７の凸部２０がプッシュスイッチ９の操作部１１を再度押す。この操作部１１の再度の押し操作により光源８が消灯する。押し操作箇所７の押し操作を解除すると、プッシュスイッチ９の操作部１１およびランプレンズ３が元の状態に戻る。
【００２９】
ランプレンズ３を介してプッシュスイッチ９の操作部１１を押し操作する際に、このプッシュスイッチ９の本体部１２がバックスライドするのを、透孔１３に残る開口部１４を閉じるカバー部材１６により防ぐことができる。これにより、ランプレンズ３を介して操作部１１を繰り返して押し操作することによって、プッシュスイッチ９の本体部１２がバックスライドして透孔１３から脱落するのを防止することができる。
【００３０】
また、この実施例における車両用ルームランプ１は、カバー部材１６がランプハウジング２に開閉可能に設けられているので、カバー部材１６が開いている状態で、プッシュスイッチ９の本体部１２をランプハウジング２の所定の位置にセットすることができ、かつ、カバー部材１６を閉じることにより、透孔１３に残る開口部１４を閉じることができる。しかも、この実施例における車両用ルームランプ１は、カバー部材１６がランプハウジング２に一体に設けられているので、部品点数を軽減することができ、その分、製造コストを安価にすることができ、また、カバー部材の紛失防止となり、部品管理の効率化が図られる。
【００３１】
さらに、この実施例における車両用ルームランプ１は、透孔１３に残る開口部１４を閉じるカバー部１６をランプハウジング２に設けられている固定部１８で固定するので、カバー部１６の固定作業が簡単である。しかも、この実施例における車両用ルームランプ１は、固定部１８がランプハウジング２に一体に設けられているので、部品点数を軽減することができ、その分、製造コストを安価にすることができる。
【００３２】
以下、上記の実施例以外の例について説明する。上記の実施例においては、押し操作箇所７の押し操作によりランプレンズ３全体が軸部５および軸受部６を中心として回転するものである。ところが、この発明においては、ランプレンズのうち押し操作箇所の一部が押し操作により変形もしくは移動するものであっても良い。
【００３３】
また、上記の実施例においては、カバー部材１６がランプハウジング２に開閉可能にかつ一体に設けられているものである。ところが、この発明においては、カバー部材をランプハウジングと別個に設けたものであっても良い。
【００３４】
さらに、上記の実施例においては、透孔１３の開口部１４を閉じる閉塞部１６を固定する固定部１８をランプハウジング２に一体に設けたものである。ところが、この発明においては、固定部をランプハウジングと別個に設けても良いし、また、固定部を設けなくても良い。この場合、溶着や接着や加締め付けなどの固定手段でカバー部材をランプハウジングに固定する必要がある。
【図面の簡単な説明】
【００３５】
【図１】この発明にかかる車両用ルームランプの実施例を示し、ランプハウジングの透孔を通してプッシュスイッチの操作部を外側から灯室内に挿入する状態の説明図である。
【図２】同じく、プッシュスイッチの本体部を透孔のガイドに沿って操作部の挿入位置からランプハウジングの所定の位置までスライドさせる状態を示す説明図である。
【図３】同じく、プッシュスイッチの本体部を操作部の挿入位置からランプレンズの所定位置にスライドさせた後にカバー部材を閉じる状態を示す説明図である。
【図４】同じく、プッシュスイッチの本体部を操作部の挿入位置からランプレンズの所定位置にスライドさせた後に透孔に残る開口部をカバー部材で閉じた状態を示す説明図である。
【図５】同じく、この実施例における車両用ルームランプを示す平面図である。
【図６】同じく、ランプレンズを取り除いたこの実施例における車両用ルームランプを示す平面図である。
【図７】同じく、図５におけるＶＩＩ−ＶＩＩ線断面図である。
【図８】同じく、図５におけるＶＩＩＩ−ＶＩＩＩ線断面図である。
【図９】同じく、押し操作によりランプレンズが回転している状態を示す縦断面図である。
【符号の説明】
【００３６】
１  車両用ルームランプ
２  ランプハウジング
３  ランプレンズ
４  灯室
５  軸部
６  軸受部
７  押し操作箇所
８  光源
９  プッシュスイッチ
１０  ランプホルダ
１１  操作部
１２  本体部
１３  透孔
１４  開口部
１５  ガイド
１６  カバー部材
１７  ヒンジ部
１８  固定部
１９  端子
２０  凸部
【図１】
2007165180.tif 000003
【図２】
2007165180.tif 000004
【図３】
2007165180.tif 000005
【図４】
2007165180.tif 000006
【図５】
2007165180.tif 000007
【図６】
2007165180.tif 000008
【図７】
2007165180.tif 000009
【図８】
2007165180.tif 000010
【図９】
2007165180.tif 000011